(57)【特許請求の範囲】
【請求項１】
構造体に既設されたボルト体に取着され、長尺材を支持する長尺材支持具であって、
前記ボルト体の軸側方から取着可能で、塑性変形によりその取着状態を維持するナット体と、該ナット体の塑性変形しない位置に固着され、前記長尺材を受ける支持体とを備え、
前記支持体は、棒材を屈曲されて構成され、前記ボルト体への取着状態で、前記ナット体に固着された位置から連続して前記ボルト体の軸方向に沿って伸び、前記ボルト体に近づくようにシフトして、前記ナット体を取着した部分以外の前記ボルト体の部分に当接あるいは近接する当接部を備え、担持する長尺材の荷重が、この当接部にも分担されるように構成されていることを特徴とする長尺材支持具。
【請求項２】
前記当接部は、ボルト体への取着状態で、ボルト体の軸方向に沿うように配置されることを特徴とする請求項１記載の長尺材支持具。
【請求項３】
前記支持体が棒材を屈曲させて構成され、前記棒材が円形断面、矩形断面となっていることを特徴とする請求項１または２記載の長尺材支持具。
【発明の詳細な説明】
【技術分野】
【０００１】
本発明は、構造体に既設されたボルト体に取着され、配線材や配管材などの長尺材を支持する長尺材支持具に関する。
【背景技術】
【０００２】
このような長尺材支持具としては、特許文献１〜６に記載されたものが提案されている。
【０００３】
特許文献１のものは、半割りしたナット様のものを上下に備え、全体を傾斜させて取り付けるものであり、特許文献２のものはボルト体の側方から取り付けるものであるが、いすれも、その支持部に支持する長尺材をセットする際に、その長手方向に力が掛かると支持具がボルト体から脱落するおそれのあるものであった。
【０００４】
特許文献３に記載のものは、二つの部品を組み合わせて側方二方向からボルト体に取り付けるものであり、特許文献４に記載のものは、３方向からボルト体を囲むように取り付けるものであるが、いずれも、支持する長尺材の長手方向の力が作用すると支持具がボルト体回りに回転してしまうものであり、改善が望まれていた。
【０００５】
特許文献５に記載のものは、ボルト体への取り付けはしっかりしたものであるが、合成樹脂で一体成形されるものであって、構造が複雑であり、その面での改善が望ましいものであった。
【０００６】
特許文献６は、本出願人の提案するものであって、ボルト体の軸側方から取着可能で、塑性変形によりその取着状態を維持するナット体を主とするものであるが、このナット体を応用した長尺材支持具（特許文献６のＦｉｇ．４３）も提案されている。
【０００７】
しかしながら、このものは、平行する二本のボルト体にそれぞれ取着されるナット体に掛け渡すように設置されるものであり、一本のボルト体だけを用いて長尺材を支持するものではなかった。
【０００８】
一方、このナット体はボルト体の側方のどの位置からでも取着され、また、その塑性変形により強固にボルト体に取着されるものであるので、これと組み合わせて、一本のボルト体を用いながら、簡易な構造で、強固に長尺材を支持することができる長尺材支持具が望まれていた。
【特許文献１】特開平６−３４６９８５号公報（図１）
【特許文献２】実開平３−２０７７９号公報（図１）
【特許文献３】特開平８−１１４２８６号公報（図１）
【特許文献４】実開平７−１９６８８号公報（図１）
【特許文献５】特開平９−３１７９５０号公報（図１）
【特許文献６】国際公開ＷＯ０３−０４２５５６−Ａ１公報（Ｆｉｇ．４３）
【発明の開示】
【発明が解決しようとする課題】
【０００９】
本発明は、上記の問題を解決しようとするものであり、ボルト体の側方から取着可能なナット体と組み合わされてボルト体に取着され、簡易な構造で強固に長尺材を支持することができる長尺材支持具を提供することを目的とする。
【課題を解決するための手段】
【００１０】
請求項１記載の長尺材支持具は、構造体に既設されたボルト体に取着され、長尺材を支持する長尺材支持具であって、前記ボルト体の軸側方から取着可能で、塑性変形によりその取着状態を維持するナット体と、該ナット体の塑性変形しない位置に固着され、前記長尺材を受ける支持体とを備え、
前記支持体は、 前記支持体は、棒材を屈曲されて構成され、前記ボルト体への取着状態で、前記ナット体に固着された位置から連続して前記ボルト体の軸方向に沿って伸び、前記ボルト体に近づくようにシフトして、前記ナット体を取着した部分以外の前記ボルト体の部分に当接あるいは近接する当接部を備え、担持する長尺材の荷重が、この当接部にも分担されるように構成されていることを特徴とする。
【００１１】
請求項２記載の長尺材支持具は、請求項１に従属し、前記当接部は、ボルト体への取着状態で、ボルト体の軸方向に沿うように配置されることを特徴とする。
【００１２】
本発明の長尺材支持具は、前記当接部は、ボルト体への取着状態で、ボルト体を取り囲むフック部として構成されてもよい。
【００１３】
請求項４記載の長尺材支持具は、請求項３に従属し、前記フック部に対して前記ボルト体の軸方向に離れた位置であって、前記フック部と協同して前記ボルト体を挟む係止当接部を備えていることを特徴とする。
【００１４】
請求項３記載の長尺材支持具は、請求項１または２に従属し、前記支持体が棒材を屈曲させて構成され、前記棒材が円形断面、矩形断面となっていることを特徴とする。
【発明の効果】
【００１５】
請求項１記載の長尺材支持具によれば、前記ボルト体の軸側方から取着可能で、塑性変形によりその取着状態を維持するナット体でボルト体に強固に取着され、支持体は、棒材を屈曲されて構成され、前記ボルト体への取着状態で、前記ナット体に固着された位置から連続して前記ボルト体の軸方向に沿って伸び、前記ボルト体に近づくようにシフトして、前記ナット体を取着した部分以外の前記ボルト体の部分に当接あるいは近接する当接部でも、担持する長尺材の荷重を分担されるように構成されているので、簡易な構造で強固に長尺材を支持することができる
請求項２記載の長尺材支持具によれば、請求項１の効果に加え、当接部を具体的に規定したので、請求項１の効果を発揮する支持具をより簡易確実に実現することができる。
【００１６】
本発明の長尺材支持具によれば、係止当接部を備えているので、フック部でのボルト体との多少の隙間があっても、使用姿勢における支持具とボルト体のフック部での係合をよりガタの少ないものとすることができる。
【００１７】
請求項３記載の長尺材支持具によれば、請求項１または２の効果に加え、前記支持体が棒材を屈曲させて構成され、前記棒材が円形断面、矩形断面となっているので、これらの効果を発揮する支持具を簡単に製造することができ、製造コストを低くすることができる。
【発明を実施するための最良の形態】
【００１８】
以下に、本発明の実施の形態（実施例）について、図面を用いて説明する。
【実施例１】
【００１９】
図１は、本発明の長尺材支持具の一例を示すもので、（ａ）はその正面図、（ｂ）は側面図、（ｃ）はボルト体に取着された、使用状態を示す側面図、図２（ａ）は、図１の長尺材支持具に用いられたナット体の正面図、（ｂ）はその側面図、（ｃ）、（ｄ）は、（ａ）、（ｂ）のナット体をボルト体に取着する方法を説明する図である。
【００２０】
この長尺材支持具５は、構造体に既設されたボルト体Ｂに取着され、配線材や配管材などの長尺材Ｌを支持するものであって、ボルト体Ｂの軸側方から取着可能で、塑性変形によりその取着状態を維持するナット体１と、ナット体１の塑性変形しない位置に固着され、長尺材Ｌを受ける支持体２とを備えている。
【００２１】
そして、支持体２が、ナット体１を取着した部分以外のボルト体Ｂの部分に当接あるいは近接する当接部２ｂを備え、担持する長尺材Ｌの荷重が、この当接部２ｂにも分担されるように構成されていることを特徴とする。
【００２２】
ナット体１の構成とボルト体Ｂへの取着方法については、図２で詳しく説明するが、図１（ａ）、（ｂ）に示すように、ナット体１は、配管止めのサドル形状であって、サドル内面をボルト体Ｂの外面ネジに螺合するようにして、そのサドル形状の足先部に相当する把持部１ｃを取着工具で挟み込み、塑性変形させることで、図１（ｃ）に示すように、ボルト体にしっかりと螺合、取着されるものである。
【００２３】
支持体２は、全体として棒材を屈曲加工して構成され、このナット体１の塑性変形しない位置に固着される固着部２ａ、これに連続して取着状態でボルト体Ｂの軸方向に沿って伸び、ボルト体Ｂに近づくようにナット体１の周壁厚さ程度シフトしてボルト体Ｂに当接する当接部２ｂ、これに連続して、ボルト体Ｂの軸直角方向（ボルト体Ｂが鉛直方向に既設されている場合は、水平方向）に延出し、長尺材を受ける支持部２ｃを備えている。
【００２４】
支持体２は、更に、支持部２ｃに連続し、この実施例の場合、鉛直方向に固着部２ａと同じ軸方向位置まで立ち上がる鉛直部２ｄ、これに連続し、ボルト体Ｂ側に傾斜した開口傾斜部２ｅを備えている。
【００２５】
図２（ａ）、（ｂ）に示すようにナット体１は、内側にボルト体Ｂの外面螺子にネジ係合する係合突起１ｂを備えた本体部１ａと、本体部１ａの外側に形成され、本体部１ａをボルト体Ｂの外面螺子に沿って塑性変形させるべく、取着工具６に把持される一対の把持部１ｃとを備えており、全体として、Ｕ字サドル形状をしている。
【００２６】
ナット体１のＵ字サドルの開口側は、ボルト体Ｂを通過させ得るもので開口部１ｅ、把持部１ｃ先端の取着工具６に当接する側に設けられた溝を係止凹溝１ｍという。
【００２７】
このナット体１をボルト体Ｂに取着する際に用いる取着工具６は、図２（ｃ）、（ｄ）に示すように、通常、プライヤと称される工具と全体形状は同一であり、回転軸６ａを中心として開閉される一対の挟付部６ｂを備え、この挟付部６ｂがナット体１の把持部１ｃの先端を、その塑性変形の当初から最後まで確実に保持するように特化され、特にその先端内側に一対の保持凹所６ｃを備えている点を特徴とする。
【００２８】
この取着工具６でナット体１をボルト体Ｂに取着する際には、まず、図２（ｃ）に示すように、ナット体１の開口部１ｅを通過させて、ボルト体Ｂの外面螺子がナット体１の係合突起１ｂにネジ係合するようにさせ、この状態のナット体１の一対の把持部１ｃが、ボルト体Ｂを中心にして、ナット体１に対向する側からの取着工具６の一対の保持凹所６ｃに填まり込むようにする。
【００２９】
この状態から取着工具６の挟付部６ｂが閉じられるように締め込んでいくと、保持凹所６ｃと係止凹溝１ｍを備えた把持部１ｃの先端との保持係合状態が維持されたままで、良好にナット体１が塑性変形し、図２（ｄ）の状態になり、ナット体１がボルト体Ｂに良好に取着される。
【００３０】
ナット体１は鋼鉄製であり、その塑性域で良好に塑性変形して、その変形後の状態を維持し、その取着状態は良好に維持される。
【００３１】
こうして、このようなナット体１と支持体２とを組み合わせた長尺材支持具５によれば、支持体２（つまり支持具５全体）は、ナット体１の塑性変形により、数条のネジ係合で強固確実にボルト体Ｂに取着されるので、良好な取着状態を維持する。
【００３２】
また、ナット体１と支持体２との固着は、通常、溶接で行われるが、その固着位置は、図２（ｃ）、（ｄ）に二点鎖線の想像線で示したような円弧部分、つまり、ナット体の塑性変形しない位置となっているので、塑性変形によりボルト体Ｂと支持体２の支持部２ａとの相対的な位置関係を変化させることなく支持具５をボルト体Ｂに取着することができる。
【００３３】
なお、このナット体の塑性変形しない位置とは、ナット体の内側の係合突起１ｂを設けた部分の内、当初よりボルト体Ｂの外形螺子に沿うように円弧状となっている部分でもある。
【００３４】
更に、このような固着位置なので、ナット体１の把持部１ｃを挟み付け保持して、取着工具６でナット体１を塑性変形させ、取着する際の邪魔にならない。
【００３５】
また、支持体２の支持部２ａが担持する長尺材Ｌの荷重は、ナット体１とボルト体Ｂとの取着部によって支えられると共に、この取着部を中心とする長尺材Ｌの荷重によるモーメントは、当接部２ｂを介して、ボルト体Ｂに受け止められる構成となっており、支持体２に作用する力が好適に、取着部と当接部とによって分担されて、ボルト体Ｂとの協同によって、支えられているので、より大きな荷重にも耐えることができる。
【００３６】
つまり、長尺材支持具５は、このような構成により、簡単な構造で、強固に長尺材を支持することができるようになっている。
【実施例２】
【００３７】
図３（ａ）は、本発明の長尺材支持具の他例を示す側面図、（ｂ）、（ｃ）は（ａ）のＡＡ断面図である。これより、すでに説明した部分と同じ部分には同じ符号を付して重複説明を省略する。また、煩雑さを避けるために、全ての符号を繰り返して記載しない場合がある。
【００３８】
この図３（ａ）に示す長尺材支持具５Ａは、図１の長尺材支持具５に比べ、この図に示すように、そのボルト体Ｂへの取着状態で、長尺材の荷重を受けていない状態では、その当接部２ｂ′が、ボルト体Ｂに当接しないで、近接する状態となっている点が異なっている。
【００３９】
つまり、固着部２ａから当接部２ｂ′へのボルト体Ｂ方向へのシフト量がより少ないものである。
【００４０】
本発明の当接部２ｂ′には、このようなものも含まれ、ボルト体Ｂに当接する当接部２ｂと同様な効果を発揮する。なぜなら、長尺材の荷重を受けた場合、固着部２ａからの下方の当接部２ｂ′はその荷重によるメーメントを受けて、ボルト体Ｂ側に撓み、ボルト体Ｂに当接するからである。
【００４１】
したがって、このような当接部２ｂ′を備えた長尺材支持具５Ａも、図１の長尺材支持具５と同様な効果を発揮する。
【００４２】
また、図１の長尺材支持具５、この図２（ａ）の長尺材支持具５Ａも、その棒材の断面形状は、図２（ｂ）に示すような円形である。あるいは、この断面は、図２（ｃ）に示すような矩形であってもよい。
【００４３】
本発明の長尺材支持具５、５Ａは、このような円形断面、矩形断面の棒材を屈曲させただけのものであるので、簡単に製造することができ、製造コストを低くすることができる。
【実施例３】
【００４４】
図４は、本発明の長尺材支持具の他例を示すもので、（ａ）はその正面図、（ｂ）は側面図である。
【００４５】
この長尺材支持具５Ｂは、図１の長尺材支持具５に比べ、支持体２Ｂとボルト体Ｂとの当接部２ｆが、ボルト体Ｂへの取着状態で、ボルト体Ｂを係合可能な程度あるいは容易に離脱しない程度に取り囲むフック部２ｆとして構成されている点が異なり、また、、ナット体１への支持体２Ｂの固着部２ａ′の固着態様が異なっている。
【００４６】
ナット体１との固着部２ａ′は、棒材である支持体２Ｂの端面がナット体１の本体部１ａの外面に当接し、ここから水平方向に伸びだし、ボルト体Ｂから所定距離離間した位置で、ボルト体Ｂの軸方向に沿うように下方に伸びた下方部２ｈとなり、以下、支持部２ｃ、鉛直部２ｄとなり、その先は、フック部２ｆと連結している傾斜部２ｇとなっている。
【００４７】
このフック部２ｆは、図４（ａ）で解るように、ボルト体Ｂを取り囲み、支持部２ｃに作用する長尺材の荷重ＬＦに起因する力ＬＦ１によって、そのフック部２ｆがボルト体Ｂに押し付けられるようになっている。
【００４８】
一方、固着部２ａ′には、支持部２ｃに作用する長尺材の荷重ＬＦに起因する力ＬＦ２の押圧力が作用して、ナット体１をボルト体Ｂに押し付ける。
【００４９】
このような構成の長尺材支持具５Ｂは、図１の長尺材支持具５と同様の効果を発揮するのに加え、支持部２ｃに作用する長尺材の荷重ＬＦによる力が、支持体２Ｂとナット体１とのいずれの作用点（フック部２ｆ、固着部２ａ′）においても、その作用点をボルト体Ｂに押し付けるように作用するので、長尺材支持具５Ｂとボルト体Ｂとの当接保持による支持関係をより強固にして、荷重耐力を増加させる。
【００５０】
特に、固着部２ａ′では、ナット体１の塑性変形しない位置に力ＬＦ２の押圧力が作用するので、これは、ナット体１の塑性変形後の状態を元に戻す（把持部１ｃを開く）ようには全く作用せず、ナット体１の係合突起１ｂとボルト体Ｂの外面螺子とのネジ係合をより強固にして、塑性変形による取着状態をより強固に保持する側に作用するので好都合である。
【００５１】
なお、この実施例２において、固着部２ａ′、下方部２ｈを図１の長尺材支持具５の固着部２ａ、当接部２ｂ、また、図３（ａ）の長尺材支持具５Ａの固着部２ａ、当接部２ｂ′のようにしてもよい。
【実施例４】
【００５２】
図５は、本発明の長尺材支持具の他例を示すもので、（ａ）はその正面図、（ｂ）は側面図である。
【００５３】
この長尺材支持具５Ｃは、図４の長尺材支持具５Ｂに比べ、その支持体２Ｃのフック部２ｆ、固着部２ａ′は共通するが、支持部２ｃが固着部２ａ′からそのまま連続して水平に延び出し、また、この支持部２ｃの先端とフック部２ｆとが傾斜部２ｉで連結されたより簡単な構成となっている点が異なる。
【００５４】
このような構成であっても、この長尺材支持具５Ｃは、図４の長尺材支持具５Ｂと同様に、支持部２ｃに作用する長尺材の荷重ＬＦに起因する力ＬＦ３、ＬＦ４が図示するように、フック部２ｆ、固着部２ａ′に作用して、同様の効果を発揮する。
【実施例５】
【００５５】
図６は、本発明の長尺材支持具の他例を示すもので、（ａ）はその正面図、（ｂ）は側面図である。
【００５６】
この長尺材支持具５Ｄは、図４、５の長尺材支持具５Ｂ、５Ｃに比べ、その支持体２Ｄのフック部２ｆ′の形状は同様だが、固着部２ｊはナット体１の下から上に沿うように固着され、これに上記フック部２ｆ′が連続し、このフック部２ｆ′に連続するように水平に支持部２ｃが延出され、これに連続してより短寸の鉛直部２ｄ′となっている点が異なっている。
【００５７】
このような構成であっても、この長尺材支持具５Ｄは、図４、５の長尺材支持具５Ｂ、５Ｃと同様に、図６（ｂ）に示すように、支持部２ｃに作用する長尺材の荷重ＬＦのモーメントによる力ＬＦ５、ＬＦ６がフック部２ｆ′、固着部２ｊに作用して、同様の効果を発揮する。
【００５８】
また、この場合、支持部２ｃの上方が開放されているので、長尺材Ｌの支持部２ｃへの載置、取り外しが容易である。
【実施例６】
【００５９】
図７は、本発明の長尺材支持具の他例を示すもので、（ａ）はその正面図、（ｂ）は側面図である。
【００６０】
この長尺材支持具５Ｅは、図４の長尺材支持具５Ｂに比べ、その支持体２Ｅを構成するフック部２ｆの形状、機能は同一であるが、このフック部２ｆから連続してボルト体Ｂに沿って当接しない状態で下方に伸びる延下部２ｋがあり、これに続いて、ナット体１に固着される固着される固着部２ｍ、下方部２ｎが一直線に連続して続き、これに連続して支持部２ｃ、鉛直部２ｄが設けられている点が異なっている。
【００６１】
また、支持体２Ｅの延下部２ｋの一部が、フック部２ｆの開口側となる位置にボルト体Ｂを挟んで、このボルト体Ｂに当接する係止当接部２ｇとなっている点を特徴とする。
【００６２】
このような構成であっても、この長尺材支持具５Ｅは、図４の長尺材支持具５Ｂと同様に、図７（ｂ）に示すように、支持部２ｃに作用する長尺材の荷重ＬＦに起因する力ＬＦ７、ＬＦ８がフック部２ｆ、固着部２ｍに作用して、同様の効果を発揮する。
【００６３】
また、この場合、支持部２ｃの上方が開放されているので、長尺材Ｌの支持部２ｃへの載置、取り外しが容易である。
【００６４】
さらに、この長尺材支持具５Ｅでは、フック部２ｆに対してボルト体Ｂの軸方向に離れた位置であって、フック部２ｆと協同してボルト体Ｂを挟む係止当接部２ｇが設けられているので、長尺材支持具５Ｅを少し斜めにすれば、フック２ｆをボルト体Ｂに係止する際に、係止当接部２ｇは邪魔にならない。
【００６５】
一方、フック２ｆとボルト体Ｂとの係止が完了した後、長尺材支持具５Ｅがボルト体Ｂの軸方向に沿うようになった場合には、フック２ｆの開口側で、係止当接部２ｇがボルト体Ｂに当接して、フック部２ｆでのボルト体Ｂとの多少の隙間があっても、使用姿勢における支持具５Ｅとボルト体Ｂのフック部２ｆでの係合をよりガタの少ないものとすることができ、長尺材支持具５Ｅとボルト体Ｂの正規の姿勢での係合状態を良好に保持する効果を発揮する。
【００６６】
なお、上記では、長尺材支持具５〜５Ｅ、支持部２〜２Ｅを例示したが、本発明の長尺材支持具、支持部はこれらの例示に限定されるものではなく、また、例示の組み合わせに限定されず、種々の組み合わせた可能である。
【産業上の利用可能性】
【００６７】
本発明の長尺材支持具は、ボルト体の側方から取着可能なナット体と組み合わされてボルト体に取着され、簡易な構造で強固に長尺材を支持することが要請されるあらゆる産業上の分野に用いることができる。
【図面の簡単な説明】
【００６８】
【図１】本発明の長尺材支持具の一例を示すもので、（ａ）はその正面図、（ｂ）は側面図、（ｃ）はボルト体に取着された、使用状態を示す側面図
【図２】（ａ）は、図１の長尺材支持具に用いられたナット体の正面図、（ｂ）はその側面図、（ｃ）、（ｄ）は、（ａ）、（ｂ）のナット体をボルト体に取着する方法を説明する図
【図３】（ａ）は、本発明の長尺材支持具の他例を示す側面図、（ｂ）、（ｃ）は（ａ）のＡＡ断面図
【図４】本発明の長尺材支持具の他例を示すもので、（ａ）はその正面図、（ｂ）は側面図
【図５】本発明の長尺材支持具の他例を示すもので、（ａ）はその正面図、（ｂ）は側面図
【図６】本発明の長尺材支持具の他例を示すもので、（ａ）はその正面図、（ｂ）は側面図
【図７】本発明の長尺材支持具の他例を示すもので、（ａ）はその正面図、（ｂ）は側面図
【符号の説明】
【００６９】
Ｂ      ボルト体
Ｌ      長尺材
１      ナット体
２〜２Ｅ      支持体
２ａ    固着部
２ｂ    当接部
２ｃ    支持部
２ｆ    フック部
２ｇ    係止当接部
５〜５Ｅ      長尺材支持具
【図１】
0004634882.tif 000002
【図２】
0004634882.tif 000003
【図３】
0004634882.tif 000004
【図４】
0004634882.tif 000005
【図５】
0004634882.tif 000006
【図６】
0004634882.tif 000007
【図７】
0004634882.tif 000008